(57)【要約】      （修正有）【課題】耐久性に優れ、歯垢および細菌を効率よく除去すること。【解決手段】歯ブラシは、ユーザによって把持される柄部と、柄部と連結されたヘッド部１０と、ヘッド部１０に設けられた複数のブラシ毛１２と、を有する。ブラシ毛１２の表面には、過酸化水素に触媒作用する金属ナノ粒子１５が担持されている。【選択図】図２
2020010947.tif 000002
【特許請求の範囲】
【請求項１】
把持される柄部と連結されるヘッド部と、
前記ヘッド部に設けられた複数のブラシ毛と、を有し、
前記ブラシ毛の表面に、過酸化水素に触媒作用する金属ナノ粒子が備えられている、
歯ブラシ先端用部品。
【請求項２】
把持される柄部と、
前記柄部と連結されたヘッド部と、
前記ヘッド部に設けられた複数のブラシ毛と、を有し、
前記ブラシ毛の表面に、過酸化水素に触媒作用する金属ナノ粒子が備えられている、
歯ブラシ。
【請求項３】
前記金属ナノ粒子は、
前記ブラシ毛の表面の凹部に備えられる、
請求項２に記載の歯ブラシ。
【請求項４】
前記ブラシ毛が散在しているブラシ毛散在部と、
前記ブラシ毛が密集しているブラシ毛密集部と、をさらに有し、
前記ブラシ毛密集部の前記金属ナノ粒子は、前記ブラシ毛散在部の前記金属ナノ粒子よりも多い、
請求項２に記載の歯ブラシ。
【請求項５】
前記ヘッド部および前記柄部の内部に設けられ、過酸化水素を含む溶液が流れる溶液供給流路と、
前記溶液供給流路と連通し、前記ヘッド部において前記ブラシ毛側に開口した溶液供給口と、をさらに有する、
請求項２から４のいずれか１項に記載の歯ブラシ。
【請求項６】
前記歯ブラシの外部から供給される水から前記溶液を生成する溶液生成部をさらに有する、
請求項５に記載の歯ブラシ。
【請求項７】
前記溶液供給口から吐出される前記溶液の量を調整する調整部をさらに有する、
請求項５または６に記載の歯ブラシ。
【請求項８】
複数のブラシ毛を有する歯ブラシの製造方法であって、
前記ブラシ毛を、金属ナノ粒子を溶媒に分散させた金属ナノ粒子分散溶液に浸漬させ、
前記ブラシ毛を前記金属ナノ粒子分散溶液から引き上げた後、前記ブラシ毛を乾燥させ、前記溶媒を揮発させる、
歯ブラシの製造方法。
【発明の詳細な説明】
【技術分野】
【０００１】
本開示は、歯ブラシ先端用部品、歯ブラシ、および歯ブラシの製造方法に関する。
【背景技術】
【０００２】
ユーザは、日常的に、虫歯や歯周病を引き起こす原因となる口腔内の歯垢を、歯ブラシを用いたブラッシングによって物理的に除去している。ブラッシングでは、虫歯や歯周病の原因となる細菌の除去や抗菌作用のため、歯磨き剤を併用することが一般的である。
【０００３】
例えば特許文献１には、細菌を除去する機能を備えた歯ブラシが開示されている。図１０は、特許文献１の歯ブラシのブラシ毛の構成を示す模式図である。
【０００４】
図１０に示すブラシ毛１２は、ヘッド部１０に植え付けられており、プラスチック樹脂と、セラミックパウダに含有される白金ナノ粒子１０１とから成る。白金ナノ粒子１０１は、ブラシ毛１２の内部に均一に分散している。この白金ナノ粒子１０１は、歯周病菌の主要な細菌である黄色ブドウ球菌に対して抗菌作用を有する。よって、図１０に示した歯ブラシを用いてブラッシングすることによって、歯周病の予防効果を得ることができるとしている。
【０００５】
また、歯ブラシを用いたブラッシング以外の手段としては、例えば、金属ナノ粒子を含む溶液と過酸化水素水とを口腔内で接触させて生成するフリーラジカルによって、歯垢や細菌を除去する技術が知られている。
【先行技術文献】
【特許文献】
【０００６】
【特許文献１】特開２０１４−８３０６６号公報
【発明の概要】
【発明が解決しようとする課題】
【０００７】
しかしながら、特許文献１の歯ブラシでは、白金ナノ粒子によって抗菌効果を得ることはできるが、歯垢については、通常のブラッシングによって物理的に除去しなければならない。
【０００８】
また、特許文献１の歯ブラシでは、白金ナノ粒子はセラミックパウダに担持した状態でブラシ毛１２に練り込まれる。そのため、ブラシ毛１２の表面で抗菌作用を得るためには、多量のセラミックパウダが必要となる。
【０００９】
よって、ブラシ毛１２に応力がかかる際（例えば、ブラッシング時）に、ブラシ毛１２の樹脂部とセラミックパウダ部との境界で劣化しやすい。したがって、ブラシ毛の耐久性や成型の自由度が低下する。
【００１０】
また、歯ブラシを用いたブラッシングを行わずに、上述したフリーラジカルによる洗口を行うだけでは、歯と歯の隙間などにおける歯垢等を十分に除去することは難しい。
【００１１】
本開示の一態様の目的は、耐久性に優れ、歯垢および細菌を効率よく除去できる歯ブラシ先端用部品、歯ブラシ、および歯ブラシの製造方法を提供することである。
【課題を解決するための手段】
【００１２】
本開示の一態様に係る歯ブラシ先端用部品は、把持される柄部と連結されるヘッド部と、前記ヘッド部に設けられた複数のブラシ毛と、を有し、前記ブラシ毛の表面に、過酸化水素に触媒作用する金属ナノ粒子が備えられている。
【００１３】
本開示の一態様に係る歯ブラシは、把持される柄部と、前記柄部と連結されたヘッド部と、前記ヘッド部に設けられた複数のブラシ毛と、を有し、前記ブラシ毛の表面に、過酸化水素に触媒作用する金属ナノ粒子が備えられている。
【００１４】
本開示の一態様に係る歯ブラシの製造方法は、複数のブラシ毛を有する歯ブラシの製造方法であって、前記ブラシ毛を、金属ナノ粒子を溶媒に分散させた金属ナノ粒子分散溶液に浸漬させ、前記ブラシ毛を前記金属ナノ粒子分散溶液から引き上げた後、前記ブラシ毛を乾燥させ、前記溶媒を揮発させる。
【発明の効果】
【００１５】
本開示によれば、耐久性に優れ、歯垢および細菌を効率よく除去できる歯ブラシおよび歯ブラシの製造方法を提供できる。
【図面の簡単な説明】
【００１６】
【図１】本発明の実施の形態１に係る歯ブラシの全体構成を示す概略図
【図２】本発明の実施の形態１に係るブラシ毛を拡大して示す模式図
【図３Ａ】本発明の実施の形態１に係る金属ナノ粒子の担持工程の一例を示す模式図
【図３Ｂ】本発明の実施の形態１に係る金属ナノ粒子の担持工程の一例を示す模式図
【図３Ｃ】本発明の実施の形態１に係る金属ナノ粒子の担持工程の一例を示す模式図
【図４】本発明の実施の形態２に係る歯ブラシの全体構成を示す概略図
【図５】本発明の実施の形態２に係るブラシ毛部を拡大して示す模式図
【図６】本発明の実施の形態３に係る歯ブラシの全体構成を示す概略図
【図７】本発明の実施の形態４に係る歯ブラシの全体構成を示す概略図
【図８】本発明の実施の形態４に係る溶液生成部の構成を示す概略図
【図９】本発明の実施の形態４に係る歯ブラシの全体構成を示す概略図
【図１０】特許文献１の歯ブラシのブラシ毛の構成を示す模式図
【発明を実施するための形態】
【００１７】
以下、本開示の各実施の形態について、図面を参照しながら説明する。なお、各図において共通する構成要素については同一の符号を付し、それらの説明は適宜省略する。
【００１８】
（実施の形態１）
図１および図２を用いて、本実施の形態に係る歯ブラシ１ａの構成について説明する。図１は、本実施の形態の歯ブラシ１ａの全体構成を示す概略図である。図２は、図１に示すブラシ毛１２を拡大して示す模式図である。
【００１９】
図１に示すように、歯ブラシ１ａは、一方の先端部であるヘッド部１０、ヘッド部１０に植え付けられたブラシ毛部１１、ブラシ毛部１１を構成する複数のブラシ毛１２、ユーザによって把持される柄部１３、ヘッド部１０と柄部１３とを繋ぐネック部１４を有する。ヘッド部１０およびブラシ毛１２（ブラシ毛部１１）は、歯ブラシの先端に用いられる部品（歯ブラシ先端用部品の一例）である。
【００２０】
なお、ヘッド部１０、柄部１３、およびネック部１４は、それぞれ、別体で成型されてもよいし、一体的に成型されてもよい。また、ヘッド部１０およびネック部１４が一体成型されており、ヘッド部１０およびネック部１４と、柄部１３とが別体であってもよい。その場合、歯ブラシ１ａを使用するユーザが、ネック部１４を柄部１３に差し込むことで、ヘッド部１０およびネック部１４と、柄部１３とを接続してもよい。
【００２１】
図２に示すように、ブラシ毛１２は、その表面に金属ナノ粒子１５を有する。
【００２２】
金属ナノ粒子１５としては、酸性雰囲気の溶液中で、過酸化水素に触媒作用してフリーラジカルの生成を促すものを用いる。例えば、四酸化三鉄（Ｆｅ３Ｏ４）を用いることができる。ただし、金属ナノ粒子１５は、上記触媒作用を有するものであればよく、四酸化三鉄に限定されない。
【００２３】
金属ナノ粒子１５の粒径は、例えば１ｎｍ〜５０ｎｍ程度である。なお、図２および図３では、便宜上、上記粒径を拡大して図示している。
【００２４】
本実施の形態の歯ブラシ１ａを用いてブラッシングを行うことにより、以下の作用効果を得ることができる。
【００２５】
過酸化水素を含むペースト状の歯磨き剤をブラシ毛部１１の全体に塗布してブラッシングを行ったとする。または、過酸化水素を含有する溶液が口腔内に存在する状態でブラッシングを行ったとする。その場合、歯の表面、歯と歯との隙間、および歯茎などに存在する歯垢に対して、金属ナノ粒子１５および過酸化水素が近接する状況が生じる。
【００２６】
通常、口腔内は中性〜塩基性雰囲気であるが、歯垢が存在する周辺は酸性雰囲気である。そのため、歯垢に近接した金属ナノ粒子１５が過酸化水素に触媒作用し、フリーラジカルが生成される。
【００２７】
生成されたフリーラジカルは、歯垢を破壊し、歯垢の内外に存在する細菌を殺傷する。よって、従来の歯ブラシを用いたブラッシングによる物理作用や洗口では除去しきれなかった歯垢を確実に破壊し、歯垢に覆われた細菌も殺傷できる。その結果、虫歯や歯周病の発生を効率よく防止できる。
【００２８】
ブラシ毛１２の素材および直径について、特に限定はない。素材としては、例えばナイロン樹脂またはポリプロピレン樹脂を用いることができる。また、直径は、例えば約０．０１〜０．２ｍｍである。
【００２９】
金属ナノ粒子１５は、ブラシ毛１２の素材には含まれず、ブラシ毛１２の表面に担持されている。よって、ブラシ毛１２は、一般的な歯ブラシと同等の強度、柔軟性、および成型の自由度を有する。金属ナノ粒子１５は、ブラシ毛１２の表面に吸着しており、ブラシ毛１２の変形に追従するため、容易に脱落することはない。
【００３０】
ここで、ブラシ毛部１１のブラシ毛１２の表面に金属ナノ粒子１５を担持させる工程（歯ブラシ１ａの製造方法の一例）について、図３Ａ、図３Ｂ、および図３Ｃを用いて説明する。図３Ａ〜図３Ｃは、金属ナノ粒子の担持工程の一例を示す模式図であり、ブラシ毛１２の一部を拡大して示している。
【００３１】
図３Ａ〜図３Ｃに示すように、ブラシ毛１２には、その表面の微細な粗さによって生じる凹部１６および凸部１７が存在する。ブラシ毛１２の表面の微細な粗さは、成型時に生じる。
【００３２】
凹部１６と凸部１７との高低差（換言すれば、凹部１６の深さ。図における左右方向の長さ）および凹部１６の幅（図における上下方向の長さ）は、ブラシ毛１２の素材によって異なる。例えば、素材がナイロン繊維である場合、高低差および幅は５０〜１００ｎｍとなる。また、例えば、素材がポリプロピレンである場合、高低差および幅は１００〜１５０ｎｍとなる。一方、金属ナノ粒子１５の粒子径は、１〜５０ｎｍ（好ましくは１〜１０ｎｍ）である。
【００３３】
このようなブラシ毛１２を、金属ナノ粒子１５を溶媒に分散させた金属ナノ粒子分散溶液１８に浸漬させた後に引き上げる。これにより、図３Ａに示すように、ブラシ毛１２の周辺に金属ナノ粒子１５が漂う状態となる。なお、金属ナノ粒子分散溶液１８に用いる溶媒としては、例えば水またはエタノールを用いることができるが、それらに限定されない。
【００３４】
次に、ブラシ毛１２を乾燥させて、溶媒を揮発させる。これにより、金属ナノ粒子１５をブラシ毛１２の表面に担持させる。この乾燥工程では、金属ナノ粒子分散溶液１８は、外側から揮発していく。そのため、金属ナノ粒子１５は、図３Ｂに示すように、凹部１６の内側に集まる。
【００３５】
上述したとおり、金属ナノ粒子１５の粒子径は、凹部１６と凸部１７との高低差および凹部１６の幅よりも、小さい。よって、図３Ｃに示すように、金属ナノ粒子１５を凹部１６の内側に集中して担持させることができる。
【００３６】
このようにして凹部１６内に担持された金属ナノ粒子１５は、凸部１７と比べてブラッシング時に歯や歯茎と物理的に接触しにくい。そのため、金属ナノ粒子１５は、ブラシ毛１２から脱落しにくい。
【００３７】
一方で、金属ナノ粒子１５が歯垢および過酸化水素を含む溶液と近接した際には、凹部１６の内側まで酸性雰囲気となる。よって、金属ナノ粒子１５が過酸化水素に触媒作用し、フリーラジカルが生成される。
【００３８】
以上のことから、本実施の形態の歯ブラシ１ａは、金属ナノ粒子１５の物理的な担持耐久性を高く保ちながら、フリーラジカルによる歯垢の破壊および細菌の殺傷を効率よく実施できる。
【００３９】
（実施の形態２)
本実施の形態では、ブラッシング時の金属ナノ粒子の脱落をより積極的に抑制しながら、フリーラジカルによる歯垢の破壊および細菌の殺傷を効率よく実施できる歯ブラシについて説明する。
【００４０】
図４および図５を用いて、本実施の形態に係る歯ブラシ１ｂの構成について説明する。図４は、本実施の形態の歯ブラシ１ｂの全体構成を示す概略図である。図５は、図４に示すブラシ毛部１１ａを拡大して示す模式図である。
【００４１】
図４に示すように、歯ブラシ１ｂは、ブラシ毛部１１ａを有する。ブラシ毛部１１ａは、ブラシ毛１２が散在しているブラシ毛散在部１９と、ブラシ毛１２が密集しているブラシ毛密集部２０とを有する。
【００４２】
ブラシ毛散在部１９では、ブラシ毛１２が、ブラシ毛密集部２０におけるブラシ毛１２の植え付け間隔よりも広い間隔で、植え付けられている。一方、ブラシ毛密集部２０では、ブラシ毛１２が、ブラシ毛散在部１９におけるブラシ毛１２の植え付け間隔よりも狭い間隔で、植え付けられている。
【００４３】
なお、本実施の形態では、図４に示すように、ヘッド部１０の長手方向（図における左右方向）の両端に２つのブラシ毛散在部１９を設け、２つのブラシ毛散在部１９の間にブラシ毛密集部２０を設ける場合を例に挙げたが、ブラシ毛散在部１９とブラシ毛密集部２０との位置関係は、図４に示す位置関係に限定されない。
【００４４】
ここで、ブラシ毛部１１ａのブラシ毛１２の表面に金属ナノ粒子１５を担持させる工程について、図５を用いて説明する。図５は、金属ナノ粒子の担持工程の一例を示す模式図であり、ブラシ毛散在部１９およびブラシ毛密集部２０の一部を拡大して示している。
【００４５】
まず、図５に示すように、ブラシ毛散在部１９およびブラシ毛密集部２０それぞれのブラシ毛１２を、金属ナノ粒子１５を溶媒に分散させた金属ナノ粒子分散溶液１８に浸漬させる。
【００４６】
このとき、ブラシ毛散在部１９では、ブラシ毛１２の先端周辺にのみ金属ナノ粒子１５が漂う。一方、ブラシ毛密集部２０では、隣接しあうブラシ毛１２の間で毛細管現象が強く生じることで、金属ナノ粒子分散溶液１８がヘッド部１０に向かって吸い上げられる。
【００４７】
次に、ブラシ毛１２を金属ナノ粒子分散溶液１８から引き上げて乾燥させて、金属ナノ粒子分散溶液１８を揮発させる。これにより、金属ナノ粒子１５をブラシ毛密集部２０の根本方向に担持させることができる。また、ブラシ毛密集部２０に担持される金属ナノ粒子１５は、ブラシ毛散在部１９に担持される金属ナノ粒子１５よりも多くなる。
【００４８】
このようにして担持された金属ナノ粒子１５は、ブラッシング時に歯や歯茎と物理的に接触しにくいため、ブラシ毛１２から脱落しにくい。よって、本実施の形態の歯ブラシ１ｂは、物理的な担持耐久性をさらに高く保つことができる。
【００４９】
一方で、過酸化水素を含有する溶液が口腔内に存在する状態でブラッシングする際には、毛細管現象が強く生じるため、上記溶液がブラシ毛密集部２０の根本方向に吸い上げられる。これにより、ブラシ毛密集部２０の根本方向に担持された金属ナノ粒子１５が上記溶液と接触する状況が生じ、フリーラジカルが生成される。生成されたフリーラジカルは、毛細管現象によって吸い上げられた溶液を伝って口腔内の歯垢を破壊し、歯垢の内外に存在する細菌を殺傷する。
【００５０】
（実施の形態３）
本実施の形態では、ヘッド部１０から過酸化水素を含有する溶液を供給できる歯ブラシについて説明する。
【００５１】
図６を用いて、本実施の形態に係る歯ブラシ１ｃの構成について説明する。図６は、本実施の形態の歯ブラシ１ｃの全体構成を示す概略図である。
【００５２】
図６に示すように、歯ブラシ１ｃは、溶液供給流路２１、溶液供給口２２、溶液補充管２３、および調整部２４を有する。
【００５３】
溶液供給流路２１は、歯ブラシ１ｃの内部に、歯ブラシ１ｃの長手方向（図における左右方向）に沿って設けられた、過酸化水素を含む溶液（以下、単に「溶液」という）が流れる流路である。溶液供給流路２１の一端は、後述する溶液補充管２３と連結され、溶液供給流路２１の他端は、後述する複数の溶液供給口２２と連結される。
【００５４】
溶液供給口２２は、ヘッド部１０（ブラシ毛１２の根本側）に設けられた開口部であり、複数（図６の例では、４つ）設けられている。上述したとおり、各溶液供給口２２は、溶液供給流路２１に連結している。
【００５５】
溶液補充管２３は、歯ブラシ１ｃの外部に設けられた、溶液が流れる管である。上述したとおり、溶液補充管２３は、溶液供給流路２１の一端に連結する。なお、溶液補充管２３は、溶液供給流路２１の一端に対して着脱可能であってもよい。
【００５６】
以上のことから、溶液は、溶液補充管２３から溶液供給流路２１へ流入し、溶液供給口２２から吐出される。これにより、溶液は、ブラシ毛部１１に供給される。
【００５７】
調整部２４は、ブラシ毛部１１に供給される溶液の量を調整可能なボタンである。ユーザは、調整部２４を押下することにより、所望の溶液量に調整できる。例えば、押下の度合いが大きい程、溶液供給流路２１の流路面積が小さくなり、溶液供給口２２から吐出される溶液量が少なくなる。なお、ここでは、調整部２４がユーザにより押下されるボタンである場合を例に挙げたが、これに限定されない。
【００５８】
本実施の形態では、過酸化水素を含むペースト状の歯磨き剤をブラシ毛部１１に塗布する必要がなく、口腔内への溶液の供給を歯ブラシ１ｃのみで完結できる。よって、ユーザの日常的なブラッシングの手間を省略できる。
【００５９】
また、本実施の形態では、溶液供給口２２から吐出された溶液は、各ブラシ毛１２の表面を伝うため、各ブラシ毛１２の表面に担持された金属ナノ粒子１５と接触しやすくなる。その結果、フリーラジカルが生成されやすくなり、より効率よく歯垢の破壊および細菌の殺傷が可能となる。
【００６０】
なお、本実施の形態では、実施の形態１で説明した歯ブラシ１ａに、溶液供給流路２１、溶液供給口２２、溶液補充管２３、および調整部２４を設けた場合を例に挙げて説明したが、これに限定されない。例えば、実施の形態２で説明した歯ブラシ１ｂに対して、図６に示すように溶液供給流路２１、溶液供給口２２、溶液補充管２３、および調整部２４を設けてもよい。
【００６１】
（実施の形態４）
実施の形態３では、歯ブラシ１ｃの外部から溶液が供給される構成について説明したが、本実施の形態では、溶液を歯ブラシ内で生成可能な歯ブラシについて説明する。
【００６２】
図７を用いて、本実施の形態に係る歯ブラシ１ｄの構成について説明する。図７は、本実施の形態の歯ブラシ１ｄの全体構成を示す概略図である。
【００６３】
図７に示すように、歯ブラシ１ｄは、溶液生成部２５、水供給流路２６、および水補充管２７を有する。
【００６４】
水供給流路２６は、歯ブラシ１ｄ（柄部１３）の内部に、歯ブラシ１ｄの長手方向（図における左右方向）に沿って設けられた、水が流れる流路である。水供給流路２６の一端は、後述する水補充管２７と連結され、水供給流路２６の他端は、後述する溶液生成部２５と連結される。
【００６５】
水補充管２７は、歯ブラシ１ｄの外部に設けられた、水が流れる管である。上述したとおり、水補充管２７は、水供給流路２６の一端に連結する。なお、水補充管２７は、水供給流路２６の一端に対して着脱可能であってもよい。
【００６６】
溶液生成部２５は、歯ブラシ１ｄ（柄部１３）の内部に設けられており、一端が溶液供給流路２１と連結され、他端が水供給流路２６と連結されている。この溶液生成部２５は、水から溶液を生成する処理を行う。この溶液生成処理の詳細については後述する。
【００６７】
以上のことから、水は、水補充管２７から水供給流路２６へ流入し、溶液生成部２５において過酸化水素を含む溶液（過酸化水素水）となり、溶液供給流路２１を流れて、溶液供給口２２から吐出される。これにより、溶液は、ブラシ毛部１１に供給される。
【００６８】
ここで、図８を用いて、溶液生成部２５の構成および溶液生成処理について説明する。図８は、溶液生成部２５の構成を示す概略図である。
【００６９】
図８に示すように、溶液生成部２５は、パルス電源３２、第１の電極２８、および第２の電極２９を有する。第１の電極２８および第２の電極２９は、水供給管２６から供給される水に浸漬するように配置されている。
【００７０】
第１の電極２８および第２の電極２９を水に浸漬した状態のときに、パルス電源３２から第１の電極２８と第２の電極２９の間に高電圧パルスを印加することにより、プラズマ３０が発生する。水の中でプラズマ３０を発生させると、過酸化水素が生成される。このようにして生成された過酸化水素水３１（溶液）は、溶液供給流路２１へ流入する。
【００７１】
本実施の形態では、過酸化水素をユーザが別途用意する必要がなく、入手と供給が容易な水のみ用意すればよいため、ユーザの日常的なブラッシングの手間を省略できる。また、実施の形態３と同様に、フリーラジカルが生成されやすくなり、より効率よく歯垢の破壊および細菌の殺傷が可能となる。
【００７２】
なお、本実施の形態では、溶液生成部２５が歯ブラシ１ｄ（柄部１３）の内部に設けられる場合を例に挙げて説明したが、これに限定されない。例えば、図９に示すように、溶液生成部２５は、歯ブラシ１ｄの外部に設けられてもよい。
【００７３】
なお、本開示は、上記実施の形態１〜４の説明に限定されず、その趣旨を逸脱しない範囲において種々の変形が可能である。
【００７４】
（本開示のまとめ）
本開示のまとめは、以下の通りである。
【００７５】
本開示の歯ブラシ先端用部品は、把持される柄部と連結されるヘッド部と、前記ヘッド部に設けられた複数のブラシ毛と、を有し、前記ブラシ毛の表面に、過酸化水素に触媒作用する金属ナノ粒子が備えられている。
【００７６】
本開示の歯ブラシは、把持される柄部と、前記柄部と連結されたヘッド部と、前記ヘッド部に設けられた複数のブラシ毛と、を有する。前記ブラシ毛の表面には、過酸化水素に触媒作用する金属ナノ粒子が備えられている。
【００７７】
なお、本開示の歯ブラシにおいて、前記金属ナノ粒子は、前記ブラシ毛の表面の凹部に備えられてもよい。
【００７８】
また、本開示の歯ブラシにおいて、前記ブラシ毛が散在しているブラシ毛散在部と、前記ブラシ毛が密集しているブラシ毛密集部と、をさらに有してもよい。また、前記ブラシ毛密集部の前記金属ナノ粒子は、前記ブラシ毛散在部の前記金属ナノ粒子よりも多くてもよい。
【００７９】
また、本開示の歯ブラシにおいて、前記ヘッド部および前記柄部の内部に設けられ、過酸化水素を含む溶液が流れる溶液供給流路と、前記溶液供給流路と連通し、前記ヘッド部において前記ブラシ毛側に開口した溶液供給口と、をさらに有してもよい。
【００８０】
また、本開示の歯ブラシにおいて、前記歯ブラシの外部から供給される水から前記溶液を生成する溶液生成部をさらに有してもよい。
【００８１】
また、本開示の歯ブラシにおいて、前記溶液供給口から吐出される前記溶液の量を調整する調整部をさらに有してもよい。
【００８２】
本開示の歯ブラシの製造方法は、複数のブラシ毛を有する歯ブラシの製造方法である。まず、前記ブラシ毛を、金属ナノ粒子を溶媒に分散させた金属ナノ粒子分散溶液に浸漬させる。次に、前記ブラシ毛を前記金属ナノ粒子分散溶液から引き上げ、前記ブラシ毛を乾燥させ、前記溶媒を揮発させる。
【産業上の利用可能性】
【００８３】
本開示の歯ブラシ先端用部品、歯ブラシ、および歯ブラシの製造方法は、口腔内における歯垢および細菌の除去に有用である。
【符号の説明】
【００８４】
１ａ、１ｂ、１ｃ、１ｄ  歯ブラシ
１０  ヘッド部
１１、１１ａ  ブラシ毛部
１２  ブラシ毛
１３  柄部
１４  ネック部
１５  金属ナノ粒子
１６  凹部
１７  凸部
１８  金属ナノ粒子分散溶液
１９  ブラシ毛散在部
２０  ブラシ毛密集部
２１  溶液供給流路
２２  溶液供給口
２３  溶液補充管
２４  調整部
２５  溶液生成部
２６  水供給流路
２７  水補充管
２８  第１の電極
２９  第２の電極
３０  プラズマ
３１  過酸化水素水
３２  パルス電源
１０１  白金ナノ粒子
【図１】
2020010947.tif 000003
【図２】
2020010947.tif 000004
【図３Ａ】
2020010947.tif 000005
【図３Ｂ】
2020010947.tif 000006
【図３Ｃ】
2020010947.tif 000007
【図４】
2020010947.tif 000008
【図５】
2020010947.tif 000009
【図６】
2020010947.tif 000010
【図７】
2020010947.tif 000011
【図８】
2020010947.tif 000012
【図９】
2020010947.tif 000013
【図１０】
2020010947.tif 000014